(57)【特許請求の範囲】
【請求項１】
紙幣を重積状態に収納し得るとともに下部一側に繰出し口が開口された収納部と、この収納部の下部に設けられ周面の一部に形成された摩擦部により最下位の紙幣を前記繰出し口側へ蹴り出すキッカローラと、このキッカローラより前記繰出し口側に設けられ周面の一部に形成された摩擦部により最下位の紙幣を前記繰出し口から繰出すフィードローラと、このフィードローラの周面に対向配置され繰出される紙幣の重なりを規制するゲートローラとを備えた紙幣繰出し装置において、
前記キッカローラおよびフィードローラはその外周長が紙幣の繰出し方向長さより大きく互いに等しい周速で回転する同径のローラとされ、
前記キッカローラを、前記収納部に収納される収納紙幣の繰出し方向略中央位置を下方から支持する位置に配設するとともに、
前記フィードローラを、前記収納紙幣の繰出し方向先端寄り位置を下方から支持する位置に配設し、
前記キッカローラおよび前記フィードローラローラは互いに幅方向において干渉しないよう異る位置とされ、
互いに等しい周速で回転する同径の前記キッカローラおよび前記フィードローラの両者で、収納紙幣の重量を分担支持して、最下位の紙幣を互いに等しい搬送力で送り出すように構成したことを特徴とする紙幣繰出し装置。
【請求項２】
前記フィードローラは幅方向の２箇所に配設し、前記キッカローラは前記フィードローラ間とその外側位置とに配設して両ローラが幅方向に干渉しないようにされている請求項１記載の紙幣繰出し装置。
【発明の詳細な説明】
【０００１】
【発明の属する技術分野】
本発明は銀行等の金融機関において使用される紙幣処理機に適用され、特に多量の紙幣を重積状態に収納した収納部の下部から紙幣を繰出すに適する紙幣繰出し装置に関する。
【０００２】
【従来の技術】
紙幣処理機において、紙幣を収納部に重積状態に収納し、その下部から繰出す形式の紙幣繰出し装置としては、紙幣を重積状態に収納し得るとともに下部一側に繰出し口が開口された収納部と、この収納部の下部に設けられ周面の一部に形成された摩擦部により最下位の紙幣を前記繰出し口側へ蹴り出すキッカローラと、このキッカローラより前記繰出し口側に設けられ周面の一部に形成された摩擦部により最下位の紙幣を前記繰出し口から繰出すフィードローラと、このフィードローラの周面に対向配置され繰出される紙幣の重なりを規制するゲートローラとを有するものが一般的であるが、その繰出し原理としては図７（Ａ）および（Ｃ）に示す２つのタイプがある。
【０００３】
その一つは、図７（Ａ）に示すように、紙幣Ｐを重積状態に収納する収納部１の下部に設けられるキッカローラ２が収納紙幣Ｐの繰出し方向略中央位置に配置され、フィードローラ３は収納紙幣Ｐの直下位置から外れて繰出し口４の下方位置に配設され、これらローラ２，３は同径で共に紙幣Ｐの繰出し方向長さよりも大きい周長を有するもので、繰出し時には最初にキッカローラ２の周面の摩擦部２ａが最下位の紙幣Ｐに接触してその紙幣Ｐを繰出し口４側へ蹴り出したのちにフィードローラ３の周面の摩擦部３ａが上記蹴り出された紙幣Ｐの先端をゲートローラ５との隙間で形成されるゲート部へ送り込み、１枚に分離して繰出すようになされたキッカローラ主導タイプのものである。
【０００４】
これによれば、フィードローラ３が収納紙幣Ｐの直下位置から外れた繰出し口４側に設けられるので、このフィードローラ３とこれに付設されるゲートローラ５とで構成されるゲート部の位置をフィードローラ３の周面上の比較的高い位置にすることができ、そのため繰出される紙幣Ｐは収納状態から矢印イのように略真直にゲート部へ向けて送られることになり、これによりゲート部への進入をスムーズに行わせることができる点において有利な構成である。
【０００５】
他の一つは、図７（Ｃ）に示すように、紙幣Ｐの繰出し方向長さよりも大きい周長を有するフィードローラ６が収納紙幣Ｐの繰出し方向先端側直下位置に配設され、紙幣Ｐの繰出し方向長さよりもかなり小さい周長のキッカローラ７が収納紙幣Ｐの繰出し方向略中央位置に配設されるもので、フィードローラ６の周面の摩擦部６ａにより最下位の紙幣Ｐを繰出してその紙幣Ｐの先端をゲートローラ５との間のゲート部へ送り込み、１枚に分離して繰出すようになされたフィードローラ主導タイプのものである。
【０００６】
これによれば、キッカローラ７はフィードローラ６よりも小径であるため、フィードローラ６と同期回転するときキッカローラ７の周速はフィードローラ６に比してかなり遅い速度で回転しており、その摩擦部７ａが繰出し中の紙幣Ｐを後方から補助的に押すに留まる。したがってこのタイプでは、紙幣Ｐを繰出し方向の先端側から引張って繰出すようになるので、紙幣の収納量が多くて紙幣間の摩擦力が大きくなっても支障なく繰出しができるという利点がある。
【０００７】
【発明が解決しようとする課題】
しかるに上記従来の技術は、収納部１に収納される紙幣Ｐの量が少い装置である場合には前記図７（Ａ）に示したキッカローラ主導タイプのものが有利であるが、このタイプでは収納紙幣量が多くなるにつれて最下位の紙幣Ｐに加わる荷重Ｗが大きくなり、キッカローラ２による蹴り出し力Ｆａが大きくなるとともに紙幣間での摩擦および紙幣と底板等との摩擦抵抗が大きくなり、これらにより図７（Ｂ）に示すように紙幣Ｐの後方部は強い力Ｆａで押され前方部は大きな抵抗力が生じることから紙幣Ｐの途中部が座屈して繰出すことができなくなるという問題がある。
【０００８】
そこで収納する紙幣の量が多い装置では前記図７（Ｃ）に示したフィードローラ主導タイプのものが有利となるが、紙幣の収納量が極端に多い場合（１５００枚以上）にはフィードローラ６による引張り力Ｆｂもキッカローラ７による蹴り出し力Ｆｃも極端に強くなり、しかもフィードローラ６の周速に対しキッカローラ７の周速がかなり遅いことから紙幣Ｐがフィードローラ６によって繰出され始めるとキッカローラ７による繰出し速さよりも速くなり、その結果図７（Ｄ）のように繰出し方向とは逆方向の抵抗力Ｆｄ（ブレーキ）として作用してしまうことになる。こうなると紙幣Ｐが引千切られるように破れたり、繰出しタイミングが遅れたりして正常な繰出しができなくなるという問題がある。
【０００９】
【課題を解決するための手段】
本発明は上記の点に鑑み、収納部への紙幣の収納量が極端に多い場合であっても正常な繰出しを可能とすることを課題としてなされたもので、その課題を解決する手段として本発明は、キッカローラおよびフィードローラはその外周長が紙幣の繰出し方向長さより大きく互いに等しい周速で回転する同径のローラとし、キッカローラを、収納部に収納される収納紙幣の繰出し方向略中央位置を下方から支持する位置に配設するとともに、フィードローラを、前記収納紙幣の繰出し方向先端寄り位置を下方から支持する位置に配設し、前記キッカローラおよび前記フィードローラローラは互いに幅方向において干渉しないよう異る位置として、互いに等しい周速で回転する同径の前記キッカローラおよび前記フィードローラの両者で、収納紙幣の重量を分担支持して、最下位の紙幣を互いに等しい搬送力で送り出すように構成したことにある。
【００１０】
前記フィードローラとキッカローラとが干渉しないようにするため、フィードローラは幅方向の２箇所に配設し、キッカローラは前記フィードローラ間とその外側位置とに配設して両ローラが幅方向に干渉しないようにすることが好ましい。
【００１１】
【発明の実施の形態】
以下、本発明を図面に示す実施の形態を参照して説明する。
【００１２】
図１は本発明に係る紙幣繰出し装置を適用する紙幣収納部を備えた紙幣処理機の一例として紙幣入出金機の場合を示す略示断面図で、その構成の概要を説明すると、機体１０の上部には入金すべき紙幣Ｐを立位姿勢でセットする入金口１１が設けられ、この入金口１１には最前位の紙幣Ｐを１枚ずつ繰込むためのキッカローラ１２、フィードローラ１３、ゲートローラ１４等からなる繰込み手段１５が設けられており、紙幣Ｐの背後を押圧する押圧部材１６により最前位の紙幣Ｐが繰込み手段１５に所定の押付け力により当接されるようになっている。
【００１３】
前記繰込み手段１５により繰込まれた紙幣を搬送する取込み搬送路には、紙幣Ｐの真偽、金種、正損等を判別する識別部１７が設けられ、この識別部１７の下流には前記入金口１１の背後位置に設けられているリジェクト口１８へリジェクト紙幣と識別された紙幣を繰込むための搬送路１９が分岐され、またその分岐点より下流側には表裏反転部２０が設けられている。
【００１４】
上記搬送路の末端位置の上方部には出金口２１が設けられており、この出金口２１の下部には出金リジェクト紙幣Ｐ′を収納する出金リジェクト箱２２が設けられている。上記出金口２１へは周知のように搬送路２３により出金紙幣が送り込まれ、その出金紙幣は図示しない押動手段により紙面に対し手前側に押し出されるようになっており、また出金リジェクトの場合は出金口２１の底部を構成している左右一対の底板２４，２４が下方に開いて出金リジェクト箱２２内に取込むようになっている。
【００１５】
上記各部は機体１０の上部領域内に配設され、この上部領域の下部の中間領域には紙幣を一時保留するための一時保留部が、その下方の下部領域には紙幣収納装置が配設され、この下部領域は機体１に対し一括引出し可能な構成とされる。
前記下部領域には、固定金庫としての万円紙幣用、５千円紙幣用、千円紙幣用の各収納部２５，２５，２５が同一構成として配設されるほか、機体１０内の紙幣を回収して精算等の処理時に他所へ運搬するための回収カセット２６が着脱可能に収蔵されている。
【００１６】
また上記各収納部２５，２５…および回収カセット２６の直上位置の中間領域内にはそれぞれ一時保留部２７，２７，２７，２８が配設され、これら収納部２５，２５…の一時保留部２７，２７…の上部位置には前記識別部１７による識別結果に基づいて各収納部に対応する金種の紙幣を送り込むため分岐路２９を経て搬送する搬送路３０および送込み手段３１，３１…が配設されており、一時保留部２７，２７…内には一時保留紙幣Ｐを収納部２５，２５…内に一括して収納する際に開く昇降自在な一対の底板３２，３２があって入金承認時に収納するようになっている。一時保留紙幣Ｐの収納不承認による返却は、機体１０の前面の扉を解錠して開け、そこから手で取出すようになっている。また回収カセット２６の一時保留部２８は、送込み手段３３のほか繰出し手段３４を備え、回収カセット２６内の収納紙幣をも載置板３５の上昇により繰出すことができるようになっており、またそのとき底板３６，３６は左右にスライドして開閉されるようになっている。
【００１７】
前記収納部２５，２５，２５の底部には本発明による繰出し装置４０が設けられて紙幣を１枚ずつ繰出すようになっており、繰出された紙幣の搬送路３７，３８は前記出金口２１への搬送路２３に連なり、搬送路３７の途中には出金識別部３９が設けられている。
【００１８】
したがって、入金時の紙幣の流れは、図１において入金口１１に入金すべき紙幣Ｐを立位姿勢にセットし、繰込み手段１５の駆動により１枚ずつ繰込まれ、識別部１７を通る際に金種、正損、表裏等が判別され、表裏の反転を要する紙幣は表裏反転部２０を通って各金種別の一時保留部へ送り込まれ、損券は回収カセット２６の上方の一時保留部２８へ送り込まれる。またリジェクト紙幣はリジェクト口１８へ戻される。
【００１９】
出金の場合は、出金すべき金種の収納部２５，２５…の下部から繰出されて搬送路３７、出金識別部３９、搬送路３８，２３を通じ出金口２１へ送り込まれ、出金リジェクト紙幣は出金リジェクト箱２２へ送り込まれる。
【００２０】
前記繰出し装置４０は、図２に原理的説明図を示すように、収納部２５の下部であって当該収納部２５に収納されている紙幣Ｐの繰出し方向略中央位置にキッカローラ４１が配設され、上記紙幣Ｐの繰出し方向先端位置にフィードローラ４２が配設されており、これらキッカローラ４１およびフィードローラ４２は紙幣Ｐの繰出し方向長さより大きい周長を有するとともに両ローラ４１，４２は同じ外径とされている。また上記フィードローラ４２にはゲートローラ４３（逆転ローラ）が対設され、両ローラ４２，４３間の間隙により１枚の紙幣Ｐのみの通過を許容するゲート部４４を形成している。
【００２１】
上記キッカローラ４１とフィードローラ４２とは詳細は後述するが軸方向において互に干渉しないよう異る位置に設けられ、側面視において両ローラ４１，４２の一部がラップした形となっている。
【００２２】
またキッカローラ４１の摩擦部４１ａとフィードローラ４２の摩擦部４２ａとは両ローラ４１，４２において同位相とされている。
【００２３】
図３〜図５は本発明の具体的な実施形態の詳細を示しているもので、図３は繰出し装置４０の平面図であり、図４は図３のＡ−Ａ矢視断面を示し、さらに図５は外側面を示している。
【００２４】
紙幣Ｐが重積状態で収納される収納部２５の下部に箱形状をなす機枠４５が設けられ、この機枠４５内に前記キッカローラ４１およびフィードローラ４２の軸４６，４７の両端部が機枠４５の側枠４５ａ，４５ａに設けられた軸受部４８，４８および４９，４９に回転自在に支持されており、これらローラ４１，４２の上に重積紙幣Ｐが載置されて紙幣Ｐの繰出し方向（紙幣の短手方向）の略中央位置をキッカローラ４１が支え、紙幣Ｐの繰出し方向先端位置をフィードローラ４２が支えるようになっている。
【００２５】
上記キッカローラ４１は、図示の例では紙幣Ｐの長手方向中央と両端近くとの３箇所に対応するよう３個からなっており、フィードローラ４２は上記３個のキッカローラ４１，４１，４１の各間に位置するよう２個からなっていて、互に一部が入り組み合って干渉しないように構成されている。またこれらローラは、繰出し口２５ａ方向に下り傾斜して設けられる底板５０に穿設された孔から上方に若干突出しておかれている。
【００２６】
なお上記キッカローラ４１の摩擦部４１ａは、周面が歯形状をなすゴム等の摩擦部材で構成され、その周面の裏面には空間４１ｂが設けられていて、高荷重が加わった際のキック力を抑えるようになされている。
【００２７】
上記フィードローラ４２，４２の図４において左肩位置（繰出し口２５ａの直近位置）には、前記側枠４５ａ，４５ａに上下方向に長い長孔５１（図５示）に上下微動可能に嵌合支持された軸受５２，５２に両端が軸支される軸５３上のゲートローラ４３，４３が位置され、フィードローラ４２，４２の周方向に形成された２条の溝４２ｂ，４２ｂにゲートローラ４３，４３の軸方向両側部のフランジ４３ａ，４３ａが嵌入して一部が互にラップした状態になってゲート間隙を形成している。
【００２８】
上記キッカローラ４１およびフィードローラ４２の軸４６，４７の機枠４５内に位置する一端部にはプーリー５４，５５が固着されており、これらプーリー５４，５５間にはベルト５６が巻回されて両ローラ４１，４２が周一方向に同期回転するようになっている。そしてフィードローラ４２の軸４７の機枠４５外に突出する端部には図示しないモータからの回転をベルトを通じて受けるためのプーリー５７がクラッチ５８を介して取付けられている。
【００２９】
またキッカローラ４１の軸４６の端部には繰出しストップ時に作動するブレーキ装置５９が設けられている。なお前記クラッチ５８は、クラッチＯＮにより繰出しがスタートし、ＯＦＦにより繰出しがストップするように設定されている。
前記キッカローラ４１より紙幣繰出し方向に対し後方の位置には補助ローラ６０が機枠４５の側枠４５ａ，４５ａ間に軸６１により回転自由に設けられ、重積紙幣Ｐの後方部分を補助的に支えるようになされている。
【００３０】
また上記補助ローラ６０の両端位置はカール紙幣進入防止用プレート６２，６２が設けられている。このプレート６２，６２はバネ性を有する細幅板状のもので、その基端が機枠４５に取付けられ、常時は弾性により先端側が上昇する習性を有していて、収納紙幣枚数が少いときは前記補助ローラ６０の上面よりも高い位置におかれ、カールした紙幣が収納された際にそのカール端が補助ローラ６０と機枠４５との間に入り込むことを防ぐように形成されている。
【００３１】
前記収納部２５の繰出し口２５ａは、フィードローラ４２の周面にそうように下方に向け湾曲する通路６３に連っており、この通路６３の途中部にはフィードローラ４１と協働して紙幣Ｐを搬送する搬送用ローラ６４が設けられている。
【００３２】
前記ゲートローラ４３，４３は間欠逆転と停止とを行うようになっている。その機構は、図６に図３のＢ−Ｂ矢視図として示すように、ゲートローラ４３，４３の軸５３の端部にワンウエイクラッチ６５を介して比較的長いアーム６６が固着され、フィードローラ４２の軸４７の端部には比較的短いアーム６７が固着されてこれらアーム６６，６７の先端間がリンク６８で連結され、フィードローラ４２の軸４７の１回転によりアーム６７、リンク６８、アーム６６を介してゲートローラ４３の軸５３が所定の回転角（α）の範囲だけ往復回動されるようになっている。そしてゲートローラ４３のフィードローラ４２とは同方向（繰出し方向とは逆方向）に回転するときのみワンウエイクラッチ６５が働いて回転動し、戻り時にはワンウエイクラッチ６５がフリーとなってゲートローラ４３，４３は停止状態におかれ、これによりゲートローラ４３，４３の周面が万遍なくゲート間隙形成のために供されるようにしてゲートローラ４３，４３の偏摩耗の防止が図られている。
【００３３】
図示の実施形態では、前記キッカローラ４１およびフィードローラ４２により繰出される紙幣Ｐがゲート部４４を通過する隙に左右のゲート間隙の差から紙幣Ｐの通過抵抗が異ることにより傾いた状態で繰出されることが生じて後流側での斜行の原因となることを防止するため、繰出される紙幣Ｐの状況を把握してゲート間隙を自動的に調整するゲート間隙調整機構７０が設けられている。
【００３４】
上記ゲート間隙調整機構７０は、図３および図５に示しているように、機枠４５の左右の側枠４５ａ，４５ａの外面側に沿うように薄板材からなるゲート間隙調整板７１，７１を有している。この調整板７１は、一方を代表して説明するとその両端近くの位置に略４５°に傾斜した長孔７２，７２が形成されており、この傾斜長孔７２，７２には前記側枠４５ａに固定のピン７３，７３が挿通され、このピン７３，７３をガイドとして調整板７１が斜め方向（図５においてＣ−Ｃ方向）に上下動可能に支持されている。
【００３５】
上記調整板７１の一端の上面は前記ゲートローラ４３，４３の軸５３を支持する前述の軸受５２の下端に当接され、この軸受５２はその上部に設けられた圧縮バネ７４による付勢によって常時調整板７１の端部上面に圧接されている。
【００３６】
また上記調整板７１の他端は垂直なスライド面７５とされ、このスライド面７５には調整用モータＭL （反対側のモータはＭR とする）の駆動軸７６上のウォーム７７に嵌合して回転するウォームギヤ７８と一体なネジ軸７９の先端部が摺動可能に当接されており、このネジ軸７９は機枠４５側に固定のナット部材８０に螺挿されていて、前記ウォームギア７８の回転によりネジ軸７９が図５において左右方向へ進退し、該ネジ軸７９の前進（図５において左行）により前記調整板７１を斜め左上方へ向けて押動し、同後退（図５において右行）により前記調整板７１は自重と前記圧縮バネ７４による付勢とによって斜め右下方へ移動するようになっている。
【００３７】
上記の構成は図３にみられるように機枠４５の両端に設けられ、左右のゲートローラ４３，４３をそれぞれ独立して移動させ、各ゲート間隙が調整される。
【００３８】
前記調整用モータＭL 、ＭR の駆動軸７６，７６には、検出孔８１，８１…が同心的に配設された円板状のパルス検出板８２，８２が固着されており、機枠４５側にはこのパルス検出板８２の検出孔８１，８１…をカウントするセンサＳ1 、Ｓ1 （フォトセンサ）が設けられている。
【００３９】
また収納部２５の繰出し口２５ａに連なる通路６３の出口端の左右位置には、繰出されて通過する紙幣Ｐの先端を検知するセンサＳL 、ＳR （フォトセンサ）が設けられており、このセンサＳL 、ＳR が同時に紙幣Ｐの先端を検知したときは斜行していないと判断され、左右において時間的なずれが生じた場合はそのずれ量に応じて左右の調整用モータＭL 、ＭR のいずれかを所定パルス数回動して前記調整板７１，７１を昇降させ、ゲートローラ４３，４３の軸５３の高さ位置を微調整することにより正常繰出しがなされるように調整される。
【００４０】
なお図３、図４において符号８３は繰出しタイミング検知板で、略半円状を有し、フィードローラ４２，４２の軸４７に固着され、この検知板８３を検知するセンサＳ２が付設されていて、フィードローラ４２，４２およびキッカーローラ４１，４１の摩擦部４１ａ，４２ａが紙幣に接触するタイミングを検知するものであり、本実施形態においてはセンサＳ2 が遮光された瞬間が摩擦部４１ａ，４２ａの中心位置が紙幣に接触しているように設定されている。したがってセンサＳ2 の遮光後、所定時間でセンサＳL ，ＳR が紙幣の先端を略同時に検知すれば正常な繰出しが行われていることになり、また逆にセンサＳL ，ＳR が略同時に紙幣の先端を検知してもセンサＳ2 の遮光後、所定時間以上たっていたり、あるいは所定時間より短い場合には正常な繰出しが行われていないことになる。
【００４１】
次に上記実施の形態の作用を説明する。
【００４２】
収納部２５に重積状態に収納される紙幣Ｐは、その繰出し方向略中央位置がキッカローラ４１，４１，４１の上面で受けられ、繰出し方向先端寄りの位置がフィードローラ４２，４２の上面で受けられ、すべての紙幣Ｐの重量は上記各ローラで分担して受ける。
【００４３】
繰出し指令に基づいて図示しないモータが駆動すると、クラッチ５８を介してフィードローラ４２，４２の軸４７が繰出し方向に回転し、その回転がベルト５６を通じてキッカローラ４１，４１，４１の軸４６に伝達され、これにより最下位の紙幣Ｐがフィードローラ４２およびキッカローラ４１の各摩擦部４２ａ，４１ａとの摩擦によりずり出され、繰出し口２５ａからフィードローラ４２とゲートローラ４３とによるゲート間隙を通る際に１枚に分離されて通路６３へ送り出される。
【００４４】
このとき繰出される最下位の紙幣Ｐは、その繰出し方向略中央位置と先端位置との２箇所により同じ周速で回転するキッカローラ４１とフィードローラ４２との等しい搬送力により送り出されるので、その紙幣Ｐに座屈が生じたりブレーキ作用を生じることが全くない状態で繰出しがなされる。
【００４５】
収納部２５に少い枚数の紙幣Ｐが収納されるときは、カール紙幣進入防止用プレート６２，６２が弾性により上昇した位置のままその紙幣の後方端を支持し、仮にその紙幣の後端が下方に向けカールしていても補助ローラ６０と機枠４５との間にカール部分が入り込むことがない。
【００４６】
また繰出された紙幣Ｐが斜行状態であったり、繰出しタイミングがずれていると、繰出しタイミング検知板８３でセンサＳ2 が遮光されたのちに通路６３に設けられている左右のセンサＳL 、ＳR が紙幣Ｐの左右の先端を検知するまでの時間にずれが生じ、そのずれが予め定めたデータに対し補正を要するときには調整用モータＭL またはＭR を補正に要するパルス数分だけ駆動し、その駆動によりウォーム７７、ウォームギヤ７８を通じネジ軸７９を進退させて調整板７１を移動させ、ゲートローラ４３，４３の軸５３の軸受５２，５２のいずれかを微小量上下動させることによりゲート間隙の補正がなされる。これにより斜行繰出しや空繰出しなどの繰出し異常が自動的に解消される。
【００４７】
【発明の効果】
以上説明したように本発明によれば、収納部に極端に多数の紙幣が収納されて高荷重（重量）がかかっても、その荷重はキッカローラとフィードローラの両者で分担支持され、繰出し時には同径のキッカローラとフィードローラとが互いに等しい周速をもって最下位の紙幣を互いに等しい搬送力で送り出すため前後２箇所で支持していても紙幣に座屈を生じさせることがないとともに紙幣に無用な引張力を生じさせることがなく、かつ紙幣の繰出し方向先端の直近をフィードローラで送り出すので確実な繰出しができる。
【図面の簡単な説明】
【図１】本発明の適用対象例として紙幣入出金機を示す略示断面図。
【図２】本発明を原理的に示す説明図。
【図３】本発明の一実施形態を示す平面図。
【図４】図３のＡ−Ａ矢視相当の断面図。
【図５】図３のゲート間隙調整機構を示す正面図。
【図６】図３のＢ−Ｂ矢視図。
【図７】（Ａ）〜（Ｄ）は従来技術の説明図。
【符号の説明】
１，２５  収納部
２，７，４１  キッカローラ
３，６，４２  フィードローラ
４，２５ａ  繰出し口
５，４３  ゲートローラ
１１  入金口
１５  繰込み手段
１７  識別部
２１  出金口
２６  回収カセット
４０  本発明による繰出し装置
４４  ゲート部
４５  機枠
５８  クラッチ
５９  ブレーキ装置
６０  補助ローラ
６２  カール紙幣進入防止用プレート
６３  通路
６４  搬送用ローラ
６５  ワンウエイクラッチ
６６，６７  アーム
６８  リンク
７０  ゲート間隙調整機構
７１  ゲート間隙調整板
７２  傾斜長孔
７３  ピン
７４  圧縮バネ
７５  スライド面
７９  ネジ軸
８０  ナット部材
８２  パルス検出板
８３  繰出しタイミング検知板
【図１】
0003880671.tif 000002
【図２】
0003880671.tif 000003
【図３】
0003880671.tif 000004
【図４】
0003880671.tif 000005
【図５】
0003880671.tif 000006
【図６】
0003880671.tif 000007
【図７】
0003880671.tif 000008